(57)【特許請求の範囲】
【請求項１】
高周波の電流が作る磁界を用いて鉛蓄電池が有している複数枚の陽極板および陰極板のそれぞれに設けられている各極板耳部を加熱する方法であって、
前記磁界を発生する高周波発生装置、もしくは前記各極板耳部のうちの少なくとも一方を、他方に対して、前記各極板耳部が前記磁界を相対的に横切るように、少なくとも１回往復移動させつつ、前記各極板耳部を加熱することを特徴とする鉛蓄電池の極板耳部を加熱する方法。
【請求項２】
複数枚の陽極板、これら各陽極板と１枚ずつ交互に配置される複数枚の陰極板、およびこれら各陽極板と各陰極板との間に挟まれて配置されるセパレータを備えて構成される極板群の前記各極板のそれぞれに設けられている各極板耳部を、高周波の電流が作る磁界を用いて加熱する方法であって、
複数の前記極板群の姿勢を揃えて一列に並べるとともに、これら複数の極板群を把持治具により把持し、前記磁界を発生する高周波発生装置、もしくは前記把持治具およびこれにより把持された前記各極板群のうちの少なくとも一方を、他方に対して、前記並び方向の一端部に位置している極板群から他端部に位置している極板群の各極板耳部が前記磁界を相対的に横切るように、少なくとも１回往復移動させつつ、前記各極板耳部を加熱することを特徴とする鉛蓄電池の極板耳部を加熱する方法。
【請求項３】
前記高周波発生装置、もしくは前記各極板耳部のうちの少なくとも一方が、他方に対して往復移動する相対的な速さを、１００〜２００（ｍｍ／ｓｅｃ）とすることを特徴とする請求項１または２に記載の鉛蓄電池の極板耳部を加熱する方法。
【請求項４】
複数枚の陽極板、これら各陽極板と１枚ずつ交互に配置される複数枚の陰極板、およびこれら各陽極板と各陰極板との間に挟まれて配置されるセパレータを備えて構成される鉛蓄電池用の極板群を、それらの姿勢が揃えられて一列に並べられた状態で把持する把持治具と、
前記各極板のそれぞれに設けられている各極板耳部を、高周波の電流により磁力線を発生させることにより、この磁力線が作る磁界を用いて加熱する高周波発生装置と、
この高周波発生装置、もしくは前記把持治具およびこれに把持された前記極板群のうちの少なくとも一方を、他方に対して相対的に横切るように、少なくとも１回往復移動させる駆動装置とを具備することを特徴とする鉛蓄電池の極板耳部を加熱する装置。
【発明の詳細な説明】
【０００１】
【発明の属する技術分野】
本発明は、鉛蓄電池の極板群を構成する陽極板および陰極板のそれぞれに設けられている極板耳部を、高周波の電流が作る磁界を用いて鉛蓄電池の極板耳部を加熱する方法に関する。
【０００２】
【従来の技術】
鉛蓄電池の電槽内部に収容される極板群は、この鉛蓄電池が所定の電力を発生できるように、それぞれ複数枚からなる陽極板同士、および陰極板同士を接続する必要がある。この場合、同極性の各極板同士を接続するために、例えば、溶融された鉛中に、各陽極板が有している極板耳部を浸漬する。この状態において、各陽極板の極板耳部と溶融鉛とを一体に冷却して固化することにより、各陽極板の極板耳部同士を鉛のストラップで接続した状態となるように溶接する。同様に、各陰極板同士も、それらの極板耳部同士を溶融鉛とともに冷却して固化することにより溶接する。このような接続方法を、一般には、キャスト・オン・ストラップ方式という。
【０００３】
このキャスト・オン・ストラップ方式により各陽極板同士、および各陰極板同士を溶接する際に、各極板の極板耳部同士と溶融鉛との間における溶接不良を無くすために、通常は、各極板耳部を予め所定の温度まで加熱した後、各極板耳部同士を溶接鉛によって溶接する。すなわち、各極板耳部同士を溶融鉛によって溶接する前に、各極板耳部を予め所定の温度まで予熱することにより、極板耳部と溶融鉛とをむらなく溶接することができる。
【０００４】
この極板耳部の予熱を行う方法としては、極板耳部をバーナーなどで炙る方法、極板耳部へ局所的に熱風を吹き付ける方法、あるいは、極板耳部を錫などの低温溶融金属に一定時間浸漬する方法などが知られている。
【０００５】
極板群には、前述したそれぞれ複数枚からなる陽極板と陰極板との間に、これらが接触して鉛蓄電池内で短絡（ショート）を起こさないように、絶縁体（隔離体）としてのセパレータが配置されている。よって、前述したように、極板耳部をバーナーなどで炙る方法においては、バーナーの炎でこのセパレータを焦がすおそれがある。また、極板耳部へ局所的に熱風を吹き付けたり、あるいは極板耳部を錫などの低温溶融金属に一定時間浸漬する方法においては、極板耳部が所定の温度に達するまで時間が掛かるので、加熱作業の効率、ひいては鉛蓄電池の生産効率が低い。特に後者の場合、極板耳部に溶融金属が付着するおそれがあるので、そのような予熱方法により生産された極板群、ひいては鉛蓄電池の品質および性能などを損なうおそれがある。
【０００６】
【発明が解決しようとする課題】
以上説明した各予熱方法の問題点を克服する極板耳部の予熱方法として、例えば、特開平８−２５５６０８号公報に開示されている鉛蓄電池の製造法が提案されている。これは、各極板耳部同士を溶接するストラップとなる溶融された鉛、およびこの溶融鉛が注がれて熱せられた溶融槽の輻射熱と、高周波誘導用コイル自体の電磁誘導による加熱作用とによって、極板耳部を予熱する方法なども知られている。この方法を詳しく説明すると、溶融槽の周囲に、その内部に設けられている溶融された鉛などが貯えられるストラップキャビティーを側方から囲むように高周波誘導用コイルを這わせて設ける。このストラップキャビティー内に溶融された鉛を注ぎ、極板耳部をストラップキャビティー上に静止させて配置した後、高周波誘導用コイルに電流を印加して高周波の磁力線を誘導させる。これにより、溶融槽およびストラップキャビティー内の溶融鉛の輻射熱と、高周波誘導用コイル自体の電磁誘導による加熱作用とによって、極板耳部を予熱するものである。極板耳部が予め設定した温度に達したことを確認した後、極板耳部をその下方に設置されているストラップキャビティー内に貯えられている溶融鉛の中に浸漬する。しかる後、ストラップキャビティー内に貯えられている溶融鉛ごと極板耳部を冷却することにより、極板耳部同士を溶接して鉛製のストラップで接続する。
【０００７】
この方法によれば、高周波誘導用コイルから離れる程、この高周波誘導用コイルが発生する磁力線の密度が疎な領域と、密な領域とに顕著に分かれる。そのため、高周波誘導用コイルが発生する磁力線の密度が疎な領域と、密な領域とで、それらの磁力線が作る渦電流による発熱効率の差が顕著になる。具体的には、磁力線の密度が疎な領域における渦電流は、磁力線の密度が密な領域における渦電流よりも、その発熱効率が減退して低くなる。したがって、この予熱方法においては、極板耳部と高周波誘導用コイルとの間には、溶融槽が配置されているため、高周波誘導用コイルが作る磁力線の密度が密な領域内に極板耳部を配置して静止させることができない。この場合、高周波誘導用コイルが発生する磁力線の密度が疎な領域で極板耳部を加熱することになる。すなわち、渦電流による発熱効率が低い領域で極板耳部を加熱することになるので、その加熱作業に時間が掛かり、その作業効率が低い。それとともに、溶融槽およびキャビティー内の溶融鉛の輻射熱による極板耳部の加熱作業は、前述した熱風を用いる場合と同様に時間が掛かるので、その作業効率が低い。
【０００８】
よって、特開平８−２５５６０８号公報に開示されている発明のように、溶融槽およびストラップキャビティー内の溶融鉛の輻射熱と、高周波誘導用コイル自体の電磁誘導による加熱作用とによって、極板耳部を予熱する方法では、極板耳部を所定の温度に達するまで加熱する作業に大幅に時間が掛かり、極板群、ひいては鉛蓄電池の生産効率が著しく低くなるおそれがある。
【０００９】
さらに、高周波誘導用コイル自体の電磁誘導による加熱作用を利用して極板耳部を予熱する方法において、極板耳部を高周波誘導用コイルに近付けるために、例えば、前述した高周波誘導用コイルから溶融槽を取り除き、この上側から極板耳部を十分に近付けて静止させて配置する。その後、高周波誘導用コイルに電流を印加して高周波の磁力線を誘導させた場合、前述したように、この高周波誘導用コイルが発生する磁力線が作る磁界には、その密度が密な領域と疎な領域とがあるので、極板耳部に当たる磁力線の数が、その部位によって異なる。これにより、極板耳部はその熱分布に差が生じ、温度が不均一になる。このように、部位によって温度が異なる極板耳部と溶融鉛とを溶接した場合、溶融鉛が固化した後の極板耳部と溶融鉛との溶接部分に、溶接が確実にできた部分と、溶接ができなかった部分とによる溶接むら、すなわち溶接不良が生じる。この溶接不良を含んだ鉛製のストラップにより接続された極板群は、その強度が弱くなるとともに、溶接ができなかった未溶接部分が抵抗となって電気伝導率が悪くなる。よって、このような溶接作業を経て生産された極板群は、その品質および性能などを損なうおそれがある。ひいては、このような溶接作業を経て生産された鉛蓄電池の品質および性能などを損なうおそれがある。
【００１０】
よって、本発明が解決しようとする課題は、高周波の電流が作る磁界を用いて、鉛蓄電池が有している極板群を構成している複数枚の陽極板および陰極板のそれぞれに設けられている極板耳部を、その温度分布が略均一となるように加熱できる鉛蓄電池の極板耳部を加熱する方法および加熱装置を得ることにある。
【００１１】
【課題を解決するための手段】
前記課題を解決するために、前記請求項１に記載の発明に係る鉛蓄電池の極板耳部を加熱する方法は、高周波の電流が作る磁界を用いて鉛蓄電池が有している複数枚の陽極板および陰極板のそれぞれに設けられている各極板耳部を加熱する方法であって、前記磁界を発生する高周波発生装置、もしくは前記各極板耳部のうちの少なくとも一方を、他方に対して、前記各極板耳部が前記磁界を相対的に横切るように、少なくとも１回往復移動させつつ、前記各極板耳部を加熱することを特徴とする鉛蓄電池の極板耳部を加熱することを特徴とするものである。
【００１２】
この発明の鉛蓄電池の極板耳部を加熱する方法においては、各極板耳部が磁界を相対的に１往復以上横切るように、高周波発生装置、もしくは各極板耳部のうちの少なくとも一方を、他方に対して往復移動させるので、高周波発生装置が発生する磁力線を、その密度の疎密に拘らず、各極板耳部にまんべんなく当てることができる。
【００１３】
また、同様の課題を解決するために、前記請求項２に記載の発明に係る鉛蓄電池の極板耳部を加熱する方法は、複数枚の陽極板、これら各陽極板と１枚ずつ交互に配置される複数枚の陰極板、およびこれら各陽極板と各陰極板との間に挟まれて配置されるセパレータを備えて構成される極板群の前記各極板のそれぞれに設けられている各極板耳部を、高周波の電流が作る磁界を用いて加熱する方法であって、複数の前記極板群の姿勢を揃えて一列に並べるとともに、これら複数の極板群を把持治具により把持し、前記磁界を発生する高周波発生装置、もしくは前記把持治具およびこれにより把持された前記各極板群のうちの少なくとも一方を、他方に対して、前記並び方向の一端部に位置している極板群から他端部に位置している極板群の各極板耳部が前記磁界を相対的に横切るように、少なくとも１回往復移動させつつ、前記各極板耳部を加熱することを特徴とする鉛蓄電池の極板耳部を加熱することを特徴とするものである。
【００１４】
この発明の鉛蓄電池の極板耳部を加熱する方法においては、複数の極板群の姿勢を揃えて一列に並べるとともに、各極板群の各極板耳部が磁界を相対的に１往復以上横切るように、高周波発生装置、もしくは把持治具およびこれによって把持された複数の極板群のうちの少なくとも一方を、他方に対して、並び方向の一端部に位置している極板群から他端部に位置している極板群まで往復移動させるので、高周波発生装置が発生する磁力線を、その密度の疎密に拘らず、各極板群の各極板耳部にまんべんなく連続して当てることができる。
【００１５】
また、前記請求項１または２に記載の発明を実施するにあたって、これらの発明に従属する前記請求項３に記載の発明は、前記高周波発生装置、もしくは前記各極板耳部のうちの少なくとも一方が、他方に対して往復移動する相対的な速さを、１００〜２００（ｍｍ／ｓｅｃ）とするとよい。
【００１６】
この発明の鉛蓄電池の極板耳部を加熱する方法によれば、高周波発生装置が発生する磁界を各極板耳部が相対的に横切る速さを、１００〜２００（ｍｍ／ｓｅｃ）としたので、各極板耳部に迅速に磁力線を当てることができる。
【００１７】
さらに、同様の課題を解決するために、前記請求項４に記載の発明に係る鉛蓄電池の極板耳部を加熱する装置は、複数枚の陽極板、これら各陽極板と１枚ずつ交互に配置される複数枚の陰極板、およびこれら各陽極板と各陰極板との間に挟まれて配置されるセパレータを備えて構成される鉛蓄電池用の極板群を、それらの姿勢が揃えられて一列に並べられた状態で把持する把持治具と、前記各極板のそれぞれに設けられている各極板耳部を、高周波の電流により磁力線を発生させることにより、この磁力線が作る磁界を用いて加熱する高周波発生装置と、この高周波発生装置、もしくは前記把持治具およびこれに把持された前記極板群のうちの少なくとも一方を、他方に対して相対的に横切るように、少なくとも１回往復移動させる駆動装置とを具備することを特徴とするものである。
【００１８】
この発明の鉛蓄電池の極板耳部を加熱する装置においては、各極板群を、それらの姿勢を揃えて一列に並べて把持する把持治具と、各極板群の各極板耳部を加熱するための高周波の磁界を発生させる高周波発生装置と、高周波発生装置、もしくは各極板耳部のうちの少なくとも一方を、他方に対して１往復以上横切るように移動させる駆動装置とを具備しているので、高周波発生装置が発生する磁力線を、その密度の疎密に拘らず、各極板耳部に円滑に、かつ、まんべんなく当てることができる。
【００１９】
【発明の実施の形態】
以下、本発明の一実施形態に係る鉛蓄電池の極板耳部を加熱する方法および加熱装置１を、図１および図２に基づいて説明する。
【００２０】
極板群５は、本実施形態においては、その１個が５枚の陽極板６と、６枚の陰極板７とを、２枚の陰極板７が両外側に位置するように、各陽極板６と各陰極板７とを１枚ずつ交互に積層するとともに、これら各陽極板６と各陰極板７との間にセパレータ８を配置して挟み込むことにより形成されている。各陽極板６および各陰極板７は、本実施形態においては、それぞれ鉛−カルシウム合金からなる鋳造格子基板に陽極または陰極活物質ペーストを充填して形成されている。また、陽極板６および陰極板７のそれぞれに設けられている各陽極板耳部６ａおよび各陰極板耳部７ａは、その正面視が略正方形状に形成されており、それらの縦および横方向の寸法は９（ｍｍ）に、また、それらの厚さ方向の寸法は１．５（ｍｍ）に形成されている。
【００２１】
把持治具２は、図１に示すように、本実施形態においては、複数枚の陽極板６、同じく複数枚の陰極板７、およびこれら各陽極板６および各陰極板７との挟まれて配置されるセパレータ８などから構成されている極板群５を、１セル分ごと個別に、かつ、等間隔で挟んで保持することにより、合計６セル分の極板群５を把持できるように６個設けられている。各極板群５は、図１および図２に示すように、これら６個の把持治具２によって、それぞれの積層方向が長円形状（楕円渦巻き形状）に形成されている後述する高周波発生装置３の短径方向と一致するように、かつ、陽極板６および陰極板７のそれぞれに設けられている各陽極板耳部６ａおよび各陰極板耳部７ａが、高周波発生装置３と対向するように、それらの姿勢を揃えられて一列に並べられた状態で把持される。
【００２２】
高周波発生装置３は、図２に示すように、導体に高周波の電流を流されることにより磁力線９を発生し、この磁力線９が作る磁界１０を用いて各陽極板耳部６ａおよび各陰極板耳部７ａを加熱するものである。この高周波発生装置は、図１に示すように、本実施形態においては、長円形状（楕円渦巻き形状）に形成された高周波電磁誘導コイル３などから構成されている。本実施形態においては、図示しない高周波発生装置本体により周波数が２０〜３０（ｋＨｚ）の高周波の電流が高周波電磁誘導コイル３に流されるとともに、その出力は１５ｋＷ以下に設定されている。また、この高周波電磁誘導コイル３は、本実施形態においては、各把持治具２、およびこれらによって把持された各極板群５に対して、各極板群５が高周波電磁誘導コイル３の略真上に位置した際に、これと各陽極板耳部６ａおよび各陰極板耳部７ａとの間隔が１〜３（ｍｍ）となるような位置に固定されて設置されている。この高周波電磁誘導コイル３は、前記設置状態、および高周波発生の諸元によって、各陽極板耳部６ａおよび各陰極板耳部７ａを、２００〜２２０（℃）の略一様な温度分布となるように加熱（予熱）できる。
【００２３】
駆動装置４は、図１に示すように、６個の極板群５、およびこれらを把持した６個の把持治具２をまとめて駆動することができるように構成されている。具体的には、この駆動装置４は、６個の極板群５、およびこれらを把持した６個の把持治具２を、それらの上方から支持した状態で、互いに同期させつつ、図１中矢印で示すように、高周波電磁誘導コイル３の短径方向に沿って、まとめて１００〜２００（ｍｍ／ｓｅｃ）で往復移動させることができるように設定されている。これにより、各極板群５の各陽極板６および各陰極板７のそれぞれに設けられている各陽極板耳部６ａおよび各陰極板耳部７ａは、固設されている高周波電磁誘導コイル３の上方において、これに対して１００〜２００（ｍｍ／ｓｅｃ）で往復移動できる。すなわち、各把持治具２、およびこれらによって把持された各極板群５は、図２に示すように、その高周波電磁誘導コイル３が発生する磁力線９によって作られる磁界１０を相対的に横切るように、少なくとも１回往復移動できる。また、この駆動装置４は、６個の極板群５、およびこれらを把持した６個の把持治具２を、上下方向に往復昇降移動などさせることができる。
【００２４】
以上説明した構成からなる鉛蓄電池の極板耳部の加熱装置１によれば、６個の極板群５を互いに同期させつつ略一定の条件下において連続して加熱することにより、各極板群５の各陽極板６および各陰極板７のそれぞれに設けられている各陽極板耳部６ａおよび各陰極板耳部７ａを迅速に、かつ、その温度分布が略均一となるように加熱できる。よって、各陽極板耳部６ａ同士および各陰極板耳部７ａ同士を、キャスト・オン・ストラップ方式により迅速に、かつ、溶接不良を抑制して溶接（接続）できる。すなわち、鉛蓄電池の生産効率を上げることができるとともに、その品質を向上できる。
【００２５】
次に、本実施形態の鉛蓄電池の極板耳部の加熱装置１を用いた鉛蓄電池の極板耳部の加熱方法を適用した鉛蓄電池の極板耳部の溶接（接続）作業の概略を説明する。
【００２６】
各陽極板耳部６ａ同士および各陰極板耳部７ａ同士が未溶接状態の６個の極板群５を、それぞれの積層方向が同じ向きを向くようにそれらの姿勢を揃えて一列に並べるとともに、各陽極板耳部６ａおよび各陰極板耳部７ａを下側に向けた状態で６個の把持治具２によってそれぞれ個別に把持する。まず、各把持治具２に把持された状態の各極板群５を、それらの各陽極板耳部６ａおよび各陰極板耳部７ａが図示しないフラックス浴に浸漬されるように移動させ、各陽極板耳部６ａおよび各陰極板耳部７ａにまんべんなくフラックスを塗布する。次いで、駆動装置４を作動させて、前記一列の一端部に位置している極板群５が、高周波電磁誘導コイル３の付近に位置するように、各極板群５を６個まとめて移動させる。続けて駆動装置４を作動させて、６個の極板群５を、それらの各陽極板耳部６ａおよび各陰極板耳部７ａが、高周波電磁誘導コイル３が発生する磁力線９が作る磁界１０の中を前述した各設定条件で通過できるように、高周波電磁誘導コイル３付近の上方に配置させた１個目の極板群５から、前記一列の他端部に位置している６個目の極板群５まで、高周波電磁誘導コイル３の上方を１往復移動させる。その後、駆動装置４を作動させて、６個の極板群５を、図示しない溶融鉛が注がれた、同じく図示しない溶融槽のストラップキャビティー内に、各陽極板耳部６ａおよび各陰極板耳部７ａがストラップキャビティー内の溶融鉛に浸漬するように移動させる。溶融槽のストラップキャビティー内において、各陽極板耳部６ａおよび各陰極板耳部７ａと図示しない鉛蓄電池の極柱などとを、溶融鉛とともに冷却して固化することにより、図示しないストラップを形成して、同極性の各陽極板耳部６ａ同士および各陰極板耳部７ａ同士を接続する。
【００２７】
以上説明した鉛蓄電池の極板耳部の加熱装置１を用いた鉛蓄電池の極板耳部の加熱方法を適用した鉛蓄電池の極板耳部の溶接作業によれば、高周波電磁誘導コイル３上で、例えば、極板群を左右方向に移動させずに静止させた状態で加熱した従来法（この場合は、各極板群の下方にそれぞれ高周波電磁誘導コイルを配置。）においては３０個の極板群中２個の極板群に発見された極板耳部の未溶接部分が、１箇所も発見されなかった。すなわち、本実施形態の鉛蓄電池の極板耳部の加熱装置１を用いた鉛蓄電池の極板耳部の加熱方法を適用した鉛蓄電池の極板耳部の溶接作業によれば、溶接部分における溶接不良を殆どなくして、耐腐食性が高く、強固かつ電気伝導度の高い（電気抵抗の低い）ストラップを迅速に形成できる。よって、極板群５、ひいてはこの極板群５が取り付けられる鉛蓄電池の品質を向上できるとともに、その生産効率を向上できる。
【００２８】
なお、本発明に係る鉛蓄電池の極板耳部を加熱する方法および加熱装置１は、前述した一実施形態には制約されない。例えば、静止している１個の高周波電磁誘導コイル３に対して、その上方において６個の把持治具２によって把持された６個の極板群５を往復移動させる代わりに、各把持治具２により各極板群５を静止させた吊り下げ状態で把持しつつ、それらの下方において高周波電磁誘導コイル３を往復移動させても構わない。これにより、前述した加熱方法と同様の効果を得ることができるとともに、この加熱装置の駆動機構を簡単にでき、製造コストなどを抑制できる。また、高周波電磁誘導コイル３に対する各極板群５の向きは、図３に示すように、高周波電磁誘導コイル３の短径方向と直交する姿勢でも構わない。６個の各極板群５を、前述した移動方法と同様に、一列の一端部に位置している１個の極板群５から他端部に位置している１個の極板群５まで少なくとも１往復移動させることにより、前述した加熱方法と同様の効果を得ることができる。さらに、各極板群５の下方にそれぞれ１個ずつ高周波電磁誘導コイル３を配置しても構わない。これにより、加熱作業する際の各極板群５同士の温度差を殆どなくすことができる。
【００２９】
【発明の効果】
請求項１〜４に記載の発明に係る鉛蓄電池の極板耳部を加熱する方法および加熱装置によれば、高周波発生装置に流される高周波の電流が発生する磁力線が作る磁界を相対的に１往復以上横切るように、各極板耳部を往復移動させて、磁力線をその密度の疎密に拘らず、各極板耳部にまんべんなく当てることができるので、各極板耳部を、その温度分布が略均一となるように加熱できる。
【図面の簡単な説明】
【図１】本発明の一実施形態に係る鉛蓄電池の極板耳部の加熱装置の概略を示す斜視図。
【図２】図１に示されている鉛蓄電池の極板耳部と加熱装置の高周波電磁誘導コイルの発生磁界との関係を示す図。
【図３】本発明の他の実施形態に係る鉛蓄電池の極板耳部と加熱装置の高周波電磁誘導コイルの発生磁界との関係を示す図。
【符号の説明】
１…鉛蓄電池の極板耳部の加熱装置
２…把持治具
３…高周波電磁誘導コイル（高周波発生装置）
４…駆動装置
５…極板群
６…陽極板
６ａ…陽極板耳部
７…陰極板
７ａ…陰極板耳部
８…セパレータ
９…磁力線
１０…磁界
【図１】
0003651368.tif 000002
【図２】
0003651368.tif 000003
【図３】
0003651368.tif 000004